【事件の表示】
　特願２００３−５５３５１９「端末におけるアプリケーションの初期化方法」拒絶査定不服審判事件〔平成１５年　６月２６日国際公開、ＷＯ０３／５２７０４、平成１７年　５月１２日国内公表、特表２００５−５１３６３５〕について、次のとおり審決する。
【結　論】
　本件審判の請求は、成り立たない。
【理　由】
その１．手続の経緯
　本願は、２００２年１２月１７日（パリ条約による優先権主張外国庁受理２００１年１２月１７日、スイス連邦）を国際出願日とする出願であって、
　平成１６年６月１６日付けで特許法第１８４条の４第１項の規定に基づく明細書、請求の範囲及び要約の日本語による翻訳文が提出され、平成１７年１１月２９日付けで審査請求がなされ、平成２０年９月１２日付けで審査官により拒絶理由が通知され、平成２１年３月３１日付けで意見書が提出されるとともに手続補正がなされたが、同年６月２５日付けで審査官により拒絶査定がなされ、これに対して、同年１０月２１日付けで審判請求がなされるとともに手続補正がなされ、同年１２月１８日付けで審査官により特許法第１６４条第３項の規定に基づく報告がなされ、平成２３年１月１８日付けで当審により特許法第１３４条第４項の規定に基づく審尋がなされ、同年７月２１日付けで回答書の提出があったものである。
　
その２．平成２１年１０月２１日付けの手続補正の却下
　
　結論
　
　平成２１年１０月２１日付け手続補正を却下する。
　
　理由
　
１．補正の内容
　平成２１年１０月２１日付けの手続補正（以下、「本件手続補正」という）により、特許請求の範囲は、
「　　【請求項１】
　アプリケーション（Ａｐｐ）のアプリケーション情報（Ｉｅｘ）を、階層的認可システム（Ａ）内の複数の端末（ＷＲ）へ転送することにより、前記アプリケーション（Ａｐｐ）を、初期化または拡張するための方法であって、前記階層的認可システムは、互いに非接触で通信する移動データキャリア（ＩＭ）と端末（ＷＲ）とを含み、
　ａ）　少なくとも１つの端末（ＷＲ）を選択して認可し、前記端末（ＷＲ）にアプリケーション情報（Ｉｅｘ）をロードするステップを備え、それにより被認可端末（ＷＲＺ）となり、
　ｂ）　その後、移動データキャリア（ＩＭ）を前記被認可端末（ＷＲＺ）に呈示した際に、前記アプリケーション情報（Ｉｅｘ）を、前記移動データキャリア（ＩＭ）にロードするステップを備え、それにより、ロードされた移動データキャリア（ＩＭｅｘ）となり、
　ｃ）　前記ロードされた移動データキャリア（ＩＭｅｘ）を他の端末（ＷＲ）に呈示する間に、これらの他の端末（ＷＲ）がアプリケーション（Ａｐｐ）に関連付けられている場合に、アプリケーション情報（Ｉｅｘ）をこれらの他の端末（ＷＲ）に送信するステップと、
　ｄ）　前記移動データキャリア（ＩＭ）およびロードされた移動データキャリア（ＩＭｅｘ）が前記階層的認可システムにおいて認可されると、前記アプリケーション情報（Ｉｅｘ）を考慮に入れて、これらの他の端末（ＷＲ）において、前記アプリケーションＡｐｐを実行するステップを含む、方法。
　　【請求項２】
　認可情報（Ｉａ）を用いて、さらに別の端末（ＷＲ）を、被認可端末（ＷＲＺ）の状態へ転換するステップをさらに備える、請求項１に記載の方法。
　　【請求項３】
　独立のアプリケーション（Ａｐｐ１，Ａｐｐ２）の初期化または拡張を可能にするステップをさらに備え、前記初期化の全てのステップは、前記階層的認可システム（Ａ）の規則、階層的なレベルまたは両方に従っている、請求項１に記載の方法。
　　【請求項４】
　前記アプリケーション情報（Ｉｅｘ）が、アプリケーションデータ（Ｉｄａｔ）、アプリケーションパラメータ（Ｉｐａｒ）およびプログラムデータ（Ｉｃｏｄ）を含むことが可能であることを特徴とする、請求項１に記載の方法。
　　【請求項５】
　前記端末（ＷＲ）において、前記アプリケーション情報（Ｉｅｘ）の転送と、対応するアプリケーションの実行とに関する前記端末（ＷＲ）でのイベントについての状態情報（Ｉｓｔ）が、検出されて、そして、前記ロードされた移動データキャリア（ＩＭｅｘ）に送信され、前記移動データキャリア（ＩＭｅｘ）によって前記被認可端末（ＷＲＺ）に返信される、請求項１に記載の方法。
　　【請求項６】
　さらに別の端末ＷＲが、ロードされた移動データキャリア（ＩＭｅｘ）によるアプリケーション情報（Ｉｅｘ）の転送により他の被認可端末（ＷＲＺ）の状態へ転換され、その後、前記アプリケーション情報（Ｉｅｘ）が、前記他の被認可端末（ＷＲＺ）から他のデータキャリア（ＩＭｅｘ）へロードされ、ロードされた移動データキャリア（ＩＭｅｘ）により前記アプリケーション情報（Ｉｅｘ）がさらに他の端末（ＷＲ）へ転送される、請求項１に記載の方法。
　　【請求項７】
　端末（ＷＲ）が、被認可端末（ＷＲＺ）へ単に一時的に変換されることを特徴とする、請求項６に記載の方法。
　　【請求項８】
　独立のアプリケーション（Ａｐｐ１，Ａｐｐ２）の初期化または拡張を可能にするステップをさらに備え、アプリケーション情報（Ｉｅｘ）の（ＷＲ、ＷＲＺ、ＩＭ、ＩＭｅｘへの）送信は、前記階層的認可システム（Ａ）の規則に従っている、請求項６に記載の方法。
　　【請求項９】
　前記アプリケーション情報（Ｉｅｘ）が、前記移動データキャリア（ＩＭｅｘ）、前記端末（ＷＲ）および／または前記被認可端末（ＷＲＺ）において単に一時的に存在し、この後消去されることを特徴とする、請求項１に記載の方法。
　　【請求項１０】
　前記アプリケーション情報（Ｉｅｘ）が、所定の期間だけ、または特定の数もしくは特定の種類のプロセスの間一時的に存在することを特徴とする、請求項９に記載の方法。
　　【請求項１１】
　前記移動データキャリア（ＩＭ）がセキュリティレベル（ＳＬ−ＩＭ）を含み、前記端末（ＷＲ）がセキュリティレベル（ＳＬ−ＷＲ）を含み、前記セキュリティレベル（ＳＬ−ＩＭ）および前記セキュリティレベル（ＳＬ−ＷＲ）が、前記移動データキャリア（ＩＭｅｘ）および前記端末（ＷＲ）への新しいアプリケーション（Ａｐｐ）の転送またはその後の実行を制御することを特徴とする、請求項１に記載の方法。
　　【請求項１２】
　前記セキュリティレベル（ＳＬ）が前記認可システム（Ａ）の機能部分であり、前記移動データキャリア（ＩＭ）におけるセキュリティレベル（ＳＬ−ＩＭ）または端末（ＷＲ）におけるセキュリティレベル（ＳＬ−ＷＲ）が上昇し得ることを前記認可システム（Ａ）の規則が防ぐことを特徴とする、請求項１１に記載の方法。
　　【請求項１３】
　前記移動データキャリア（ＩＭｅｘ）および／または前記端末（ＷＲ）が、前記アプリケーション情報（Ｉｅｘ）または状態情報（Ｉｓｔ）の転送のために、送信者として、アクティブに、情報（Ｉｅｘ）または（Ｉｓｔ）を利用可能にすることにより動作することが可能である、請求項１に記載の方法。
　　【請求項１４】
　前記ロードされた移動データキャリア（ＩＭｅｘ）に、フラグ／ポインタ（Ｆ／Ｐ）もまたセットされ、前記フラグ／ポインタは、アプリケーション情報（Ｉｅｘ）が存在することを示す、請求項１に記載の方法。
　　【請求項１５】
　前記移動データキャリア（ＩＭｅｘ）がアプリケーションマイクロプロセッサ（ｕＰ−ＩＭ）を含み、前記アプリケーションマイクロプロセッサが、前記端末のアプリケーションマイクロプロセッサ（ｕＰ−ＷＲ）と協働してアプリケーション情報（Ｉｅｘ）を処理可能であることを特徴とする、請求項１に記載の方法。
　　【請求項１６】
　前記ロードされた移動データキャリア（ＩＭｅｘ）は、アプリケーションプロファイル（ｉｎｄ）を有するアプリケーション情報（Ｉｅｘ）を含む、請求項１に記載の方法。
　　【請求項１７】
　アプリケーションマイクロプロセッサ（ｕＰ−ＷＲ）を有する汎用端末（ｇ−ＷＲ）が設けられ、前記汎用端末（ｇ−ＷＲ）に、アプリケーション（Ａｐｐ３）は、ロードされた移動データキャリア（ＩＭｅｘ）により一時的にロードされる、請求項１に記載の方法。
　　【請求項１８】
　前記階層認可システム（Ａ）内で、割当てられた端末（ＷＲ１，ＷＲ２）についての、独立した使用者に各々属する複数の独立したアプリケーション（Ａｐｐ１，Ａｐｐ２）の各々が定義されており、割当てられた被認可端末（ＷＲＺ１，ＷＲＺ２）で前記移動データキャリア（ＩＭｅｘ）へロードされて対応する割当てられた端末（ＷＲ１，ＷＲ２）へ転送される、請求項１に記載の方法。
　　【請求項１９】
　移動データキャリア（ＩＭ）と、複数の端末（ＷＲ）とを含む階層的認可システムにおいて使用するための移動データキャリアであって、データメモリが、新しいまたは拡張されたアプリケーション（Ａｐｐ）のアプリケーション情報（Ｉｅｘ）を含むときに、前記移動データキャリア（ＩＭ）は、ロードされた移動データキャリア（ＩＭｅｘ）となり、前記アプリケーション情報（Ｉｅｘ）は端末からロードされたものであり、当該端末は、既に選択され認可されており、そして、アプリケーション情報（Ｉｅｘ）がロードされており、それにより、被認可端末（ＷＲＺ）となり、さらに他の端末がアプリケーション（Ａｐｐ）に関連付けられている場合に、前記ロードされた移動データキャリア（ＩＭｅｘ）がこれらの端末（ＷＲ）に呈示されたときに、前記アプリケーション情報（Ｉｅｘ）は、当該さらに他の端末（ＷＲ）に書き込まれる、移動データキャリア。
　　【請求項２０】
　前記データキャリア（ＩＭｅｘ）が、割当てられた異なる端末（ＷＲ１，ＷＲ２）に転送可能な異なる独立したアプリケーション（Ａｐｐ１，Ａｐｐ２）のアプリケーション情報（Ｉｅｘ１，Ｉｅｘ２）を含むことを特徴とする、請求項１９に記載の移動データキャリア。
　　【請求項２１】
　移動データキャリア（ＩＭ）と、複数の端末（ＷＲ）とを含む階層的認可システム（Ａ）であって、それにより、少なくとも１つの端末（ＷＲ）が選択されて認可され、その結果、被認可端末ＷＲＺとなり、それにより、前記被認可端末（ＷＲＺ）は、新しいまたは拡張されたアプリケーション（Ａｐｐ）のアプリケーション情報（Ｉｅｘ）を、移動データキャリア（ＩＭ）にロードするために使用され、その結果、ロードされた移動データキャリア（ＩＭｅｘ）となり、それにより、さらに他の端末（ＷＲ）がアプリケーション（Ａｐｐ）に関連付けられている場合に、このロードされた移動データキャリア（ＩＭｅｘ）は、前記アプリケーション情報（Ｉｅｘ）を他の端末（ＷＲ）に書き込むために使用され、そして、それにより、アプリケーション情報（Ｉｅｘ）は、移動データキャリア（ＩＭ）またはロードされた移動データキャリア（ＩＭｅｘ）と通信しているこれらの他の端末（ＷＲ）により実行される、システム。」（以下、上記引用の請求項各項を「補正前の請求項」という）から、
「　　【請求項１】
　アプリケーション（Ａｐｐ）のアプリケーション情報（Ｉｅｘ）を、階層的認可システム（Ａ）内の複数の端末（ＷＲ）へ転送することにより、前記アプリケーション（Ａｐｐ）を、初期化または拡張するための方法であって、前記階層的認可システムは、互いに非接触で通信する移動データキャリア（ＩＭ）と端末（ＷＲ）とを含み、
　ａ）　少なくとも１つの端末（ＷＲ）を選択して認可し、前記端末（ＷＲ）にアプリケーション情報（Ｉｅｘ）をロードするステップを備え、それにより前記端末は、被認可端末（ＷＲＺ）となり、
　ｂ）　その後、移動データキャリア（ＩＭ）を前記被認可端末（ＷＲＺ）に呈示することと、前記被認可端末（ＷＲＺ）と前記移動データキャリアとの間の適当な認可（１１）とに基づいて、前記アプリケーション情報（Ｉｅｘ）を、前記移動データキャリア（ＩＭ）にロードするステップを備え、それにより、ロードされた移動データキャリア（ＩＭｅｘ）となり、
　ｃ）　その後、前記ロードされた移動データキャリア（ＩＭｅｘ）を他の端末（ＷＲ）に呈示する間に、ロードされた前記移動データキャリア（ＩＭｅｘ）と前記他の端末（ＷＲ）との間の適当な認可（１４）に基づいて、これらの他の端末（ＷＲ）がアプリケーション（Ａｐｐ）に関連付けられている場合に、アプリケーション情報（Ｉｅｘ）をこれらの他の端末（ＷＲ）にロードするステップとを含み、
　ｄ）　それにより、その後に前記アプリケーション（Ａｐｐ）が、適当な認可（１７）に基づいて、前記アプリケーション情報（Ｉｅｘ）を考慮に入れて、他の移動データキャリア（ＩＭ１，ＩＭ２，ＩＭ３）またはロードされた移動データキャリア（ＩＭｅｘ）とともに前記他の端末（ＷＲ）によって実行可能となり、前記適当な認可（１１，１４，１７）は前記階層的認可システム（Ａ）において規定されており、前記階層的認可システム（Ａ）との整合は前記端末（ＷＲ，ＷＲＺ）によって実行される、方法。
　　【請求項２】
　認可情報（Ｉａ）を用いて、さらに別の端末（ＷＲ）を、被認可端末（ＷＲＺ）の状態へ転換するステップをさらに備える、請求項１に記載の方法。
　　【請求項３】
　独立のアプリケーション（Ａｐｐ１，Ａｐｐ２）の初期化または拡張を可能にするステップをさらに備え、前記初期化の全てのステップは、前記階層的認可システム（Ａ）の規則、階層的なレベルまたは両方に従っている、請求項１に記載の方法。
　　【請求項４】
　前記アプリケーション情報（Ｉｅｘ）が、アプリケーションデータ（Ｉｄａｔ）、アプリケーションパラメータ（Ｉｐａｒ）およびプログラムデータ（Ｉｃｏｄ）を含むことが可能であることを特徴とする、請求項１に記載の方法。
　　【請求項５】
　前記端末（ＷＲ）において、前記アプリケーション情報（Ｉｅｘ）の転送と、対応するアプリケーションの実行とに関する前記端末（ＷＲ）でのイベントについての状態情報（Ｉｓｔ）が、検出されて、そして、前記ロードされた移動データキャリア（ＩＭｅｘ）に送信され、前記移動データキャリア（ＩＭｅｘ）によって前記被認可端末（ＷＲＺ）に返信される、請求項１に記載の方法。
　　【請求項６】
　さらに別の端末ＷＲが、ロードされた移動データキャリア（ＩＭｅｘ）によるアプリケーション情報（Ｉｅｘ）の転送により他の被認可端末（ＷＲＺ）の状態へ転換され、その後、前記アプリケーション情報（Ｉｅｘ）が、前記他の被認可端末（ＷＲＺ）から他のデータキャリア（ＩＭｅｘ）へロードされ、ロードされた移動データキャリア（ＩＭｅｘ）により前記アプリケーション情報（Ｉｅｘ）がさらに他の端末（ＷＲ）へ転送される、請求項１に記載の方法。
　　【請求項７】
　端末（ＷＲ）が、被認可端末（ＷＲＺ）へ単に一時的に変換されることを特徴とする、請求項６に記載の方法。
　　【請求項８】
　独立のアプリケーション（Ａｐｐ１，Ａｐｐ２）の初期化または拡張を可能にするステップをさらに備え、アプリケーション情報（Ｉｅｘ）の（ＷＲ、ＷＲＺ、ＩＭ、ＩＭｅｘへの）送信は、前記階層的認可システム（Ａ）の規則に従っている、請求項６に記載の方法。
　　【請求項９】
　前記アプリケーション情報（Ｉｅｘ）が、前記移動データキャリア（ＩＭｅｘ）、前記端末（ＷＲ）および／または前記被認可端末（ＷＲＺ）において単に一時的に存在し、この後消去されることを特徴とする、請求項１に記載の方法。
　　【請求項１０】
　前記アプリケーション情報（Ｉｅｘ）が、所定の期間だけ、または特定の数もしくは特定の種類のプロセスの間一時的に存在することを特徴とする、請求項９に記載の方法。
　　【請求項１１】
　前記移動データキャリア（ＩＭ）がセキュリティレベル（ＳＬ−ＩＭ）を含み、前記端末（ＷＲ）がセキュリティレベル（ＳＬ−ＷＲ）を含み、前記セキュリティレベル（ＳＬ−ＩＭ）および前記セキュリティレベル（ＳＬ−ＷＲ）が、前記移動データキャリア（ＩＭｅｘ）および前記端末（ＷＲ）への新しいアプリケーション（Ａｐｐ）の転送またはその後の実行を制御することを特徴とする、請求項１に記載の方法。
　　【請求項１２】
　前記セキュリティレベル（ＳＬ）が前記認可システム（Ａ）の機能部分であり、前記移動データキャリア（ＩＭ）におけるセキュリティレベル（ＳＬ−ＩＭ）または端末（ＷＲ）におけるセキュリティレベル（ＳＬ−ＷＲ）が上昇し得ることを前記認可システム（Ａ）の規則が防ぐことを特徴とする、請求項１１に記載の方法。
　　【請求項１３】
　前記移動データキャリア（ＩＭｅｘ）および／または前記端末（ＷＲ）が、前記アプリケーション情報（Ｉｅｘ）または状態情報（Ｉｓｔ）の転送のために、送信者として、アクティブに、情報（Ｉｅｘ）または（Ｉｓｔ）を利用可能にすることにより動作することが可能である、請求項１に記載の方法。
　　【請求項１４】
　前記ロードされた移動データキャリア（ＩＭｅｘ）に、フラグ／ポインタ（Ｆ／Ｐ）もまたセットされ、前記フラグ／ポインタは、アプリケーション情報（Ｉｅｘ）が存在することを示す、請求項１に記載の方法。
　　【請求項１５】
　前記移動データキャリア（ＩＭｅｘ）がアプリケーションマイクロプロセッサ（ｕＰ−ＩＭ）を含み、前記アプリケーションマイクロプロセッサが、前記端末のアプリケーションマイクロプロセッサ（ｕＰ−ＷＲ）と協働してアプリケーション情報（Ｉｅｘ）を処理可能であることを特徴とする、請求項１に記載の方法。
　　【請求項１６】
　前記ロードされた移動データキャリア（ＩＭｅｘ）は、アプリケーションプロファイル（ｉｎｄ）を有するアプリケーション情報（Ｉｅｘ）を含む、請求項１に記載の方法。
　　【請求項１７】
　アプリケーションマイクロプロセッサ（ｕＰ−ＷＲ）を有する汎用端末（ｇ−ＷＲ）が設けられ、前記汎用端末（ｇ−ＷＲ）に、アプリケーション（Ａｐｐ３）は、ロードされた移動データキャリア（ＩＭｅｘ）により一時的にロードされる、請求項１に記載の方法。
　　【請求項１８】
　前記階層認可システム（Ａ）内で、割当てられた端末（ＷＲ１，ＷＲ２）についての、独立した使用者に各々属する複数の独立したアプリケーション（Ａｐｐ１，Ａｐｐ２）の各々が定義されており、割当てられた被認可端末（ＷＲＺ１，ＷＲＺ２）で前記移動データキャリア（ＩＭｅｘ）へロードされて対応する割当てられた端末（ＷＲ１，ＷＲ２）へ転送される、請求項１に記載の方法。
　　【請求項１９】
　非接触で互いに通信する移動データキャリア（ＩＭ）と複数の端末（ＷＲ）とを含む階層的認可システム（Ａ）であって、アプリケーション（Ａｐｐ）の初期化または拡張のために、前記アプリケーション（Ａｐｐ）のアプリケーション情報（Ｉｅｘ）が以下のステップによって端末（ＷＲ）に送信され、前記以下のステップは、
　ａ）　少なくとも１つの端末（ＷＲ）を選択して認可し、前記端末（ＷＲ）にアプリケーション情報（Ｉｅｘ）をロードするステップを備え、それにより前記端末は、被認可端末（ＷＲＺ）となり、
　ｂ）　その後、移動データキャリア（ＩＭ）を前記被認可端末（ＷＲＺ）に呈示と、前記被認可端末（ＷＲＺ）と前記移動データキャリアとの間の適当な認可（１１）の際に、前記アプリケーション情報（Ｉｅｘ）を、前記移動データキャリア（ＩＭ）にロードするステップを備え、それにより、ロードされた移動データキャリア（ＩＭｅｘ）となり、
　ｃ）　その後、前記ロードされた移動データキャリア（ＩＭｅｘ）を他の端末（ＷＲ）に呈示する間に、ロードされた前記移動データキャリア（ＩＭｅｘ）と前記他の端末（ＷＲ）との間の適当な認可（１４）に基づいて、これらの他の端末（ＷＲ）がアプリケーション（Ａｐｐ）に関連付けられている場合に、アプリケーション情報（Ｉｅｘ）をこれらの他の端末（ＷＲ）にロードするステップとを含み、
　ｄ）　それにより、その後前記アプリケーション（Ａｐｐ）が、適当な認可（１７）に基づいて、前記アプリケーション情報（Ｉｅｘ）を考慮に入れて、他の移動データキャリア（ＩＭ１，ＩＭ２，ＩＭ３）またはロードされた移動データキャリア（ＩＭｅｘ）とともに前記他の端末（ＷＲ）によって実行可能となり、前記適当な認可（１１，１４，１７）は前記階層的認可システム（Ａ）において規定されており、前記階層的認可システム（Ａ）との整合は前記端末（ＷＲ，ＷＲＺ）によって実行される、システム。」（以下、上記引用の請求項各項を「補正後の請求項」という）に補正された。
　
３．補正の適否
３−１．新規事項
　平成２１年１０月２１日付けの手続補正（以下、「本件手続補正」という）が、平成１４年法律第２４号改正附則第３条第１項によりなお従前の例によるとされる同法による改正前の特許法第１８４条の１２第２項により読み替える同法第１７条の２第３項の規定を満たすものであるか否か、即ち、本件手続補正が、平成１６年６月１６日付けで提出された明細書及び請求の範囲の日本語による翻訳文、並びに、本願の国際出願日における国際特許出願の図面（以下、これを「当初明細書等」という）の範囲内でなされたものであるかについて、以下に検討する。
　
　補正後の請求項１及び請求項１９に、
「前記階層的認可システム（Ａ）との整合は前記端末（ＷＲ，ＷＲＺ）によって実行される」との記載が存在する。
　この記載について、当初明細書等には、「認可システム（Ａ）」に関して、
（ア）「【０００９】
　図１ａ，１ｂ，１ｃ，２，３は、アプリケーションＡｐｐを初期化または拡張する、すなわち、アプリケーションＡｐｐに割当てられたアプリケーション情報Ｉｅｘをシステム内の端末すなわち書込／読出ステーションＷＲへ転送するためのこの発明に従う方法を例示する。
このシステムは移動データキャリアＩＭ、端末ＷＲおよび階層的認可システムＡを含む
（イ）「【００１９】
　アプリケーション情報ＩｅｘをデータキャリアＩＭｅｘに転送する、およびデータキャリアＩＭｅｘから端末ＷＲへ転送を行なうには適当な認可が必要である。すなわち当該のアプリケーションが定められている、権限のあるデータキャリアＩＭｅｘあるいは端末ＷＲへ、あるいはこれによってのみ転送が行なわれ、こうして必要なセキュリティが保証されるようにする。この権限付与は、さまざまなやり方で実行可能であって、アプリケーションの種類および重要性に応じセキュリティ要件に合うように適合すなわち選択され得る。たとえば、
システムＡに対応するセキュリティレベルＳＬ−ＩＭの認可規則をデータキャリアＩＭｅｘに割当て、そしてセキュリティレベルＳＬ／ＷＲについてのものを端末ＷＲに割当てて、これらに新しいアプリケーション情報Ｉｅｘの転送および続く実行を制御させる。ここで或るデータキャリアまたは端末においてセキュリティレベルＳＬ−ＩＭまたはＳＬ−ＷＲが上昇または変更され得ることを認可システムＡの規則が防ぐことが重要である。これにより、データキャリアＩＭを用いた端末ＷＲへのアプリケーションＡｐｐの配布およびその使用を制御および制限する。
　
ここでセキュリティレベルＳＬの特性は、認可システムＡの枠内において、既にある階層構造たとえばＷＯ９７／３４２６５に従う編成レベルＯＬに依拠またはこれを拡張する
　【００２１】
　しかしまた、
認可システムＡの枠内でなく、或る追加の独立したセキュリティ認可システムＳＡの枠内でセキュリティレベルＳＬを決定することも可能である
（ウ）「【００３３】
　図３は、端末ＷＲの被認可端末ＷＲＺへの変換によるこの発明に従う方法の反復的手順を示し、これは複数の被認可端末ＷＲＺにわたって新しいアプリケーションを制御しながら伝播あるいは消去するという意味におけるものである（ウイルス原理）。
ここでは、一般には認可システムＡの枠内で最初の被認可端末ＷＲＺｊが選択され、これは場合により、端末ＷＲｉを被認可端末ＷＲＺｉへと転換することによって行なわれる
・・・・・・・（中略）・・・・・・
制御しながら転送し、こうしてシステム内で新しいアプリケーションをより高速かつ的確に伝播させることが可能となる。」
（エ）「【００４２】
　この図４では考えられ得る２種類のデータキャリアＲｆ−ＩＭｅｘが示してある。すなわちアプリケーション情報ＩｅｘのためのメモリＭＥＭを有するがアプリケーションマイ・・・・・・・（中略）・・・・・・
れ、したがってこれはアプリケーションプロセッサｕＰ−ＷＲの拡張、場合によってはＡｐｐＨＷ／ＳＷをも形成するものである。
しかしこのような拡張の場合においても端末ＷＲによって認可システムＡの規則の順守がなされ、すなわちそれに必要な（一般にアプリケーションＩｃｏｄにより処理された）アプリケーションデータＩｄａｔは、アプリケーションの実行前にデータキャリアＩＭｅｘにより端末ＷＲにとって利用可能にされることになる
（オ）「【００４５】
　この例での端末ＷＲが備える論理通信−アプリケーションインターフェイスＬＣＡＩにより、端末ＷＲのマイクロプロセッサはアプリケーション情報Ｉｅｘ、
たとえばプログラムコードＩｃｏｄの言語を理解し、これを認可システムＡの規則に準拠しながら処理することが可能となる。
（カ）「【００４８】
　−第３に、
認可システムＡの規則の順守を確実にする
（キ）「【００５１】
　図４ａはさらに、
認可システムＡの規則を順守しながらアプリケーション情報Ｉｅｘを被認可端末ＷＲＺへ、制御され認可されたやり方で最初に転送する２つの方策を示す
可システムＡの規則の順守は他のやり方によってなされる必要がある。これを行なうには、たとえばホストＨと被認可端末ＷＲＺとの間の通信を、認可媒体ＡＭ２により、好ましくはＷＲＺとの非接触通信Ｒｆ−Ｋを介して明示的に開放する
（ク）「【００５５】
　図５ａ，ｂ，ｃは、アプリケーション情報ＩｅｘすなわちアプリケーションデータＩｄａｔおよびプログラムコードＩｃｏｄを端末ＷＲ，ＷＲＺおよびデータキャリアＩＭ，ＩＭｅｘへ分配するステップと、
認可システムＡの規則を順守しながら、割当てられた機能設備ＡｐｐＨＷ／ＳＷでアプリケーションＡｐｐを実行するステップ（１８）とを例示する。アプリケーションデータＩｄａｔおよびプログラムコードＩｃｏｄは端末ＷＲにおいて処理され、認可規則Ａの順守が関数ｆ（Ａ，Ｉｃｏｄ，Ｉｄａｔ）の形成により検査される
　【００５６】
　図５ａは非接触システムについての公知の先行技術を示す。ここでは、端末ＷＲ内のプログラムコードＩｃｏｄとデータキャリアＩＭ内のアプリケーションデータＩｄａｔとがはっきりと区別される。
認可規則Ａの順守は、端末ＷＲにおいて、端末のアプリケーションプロセッサｕＰ−ＷＲにより関数ｆ（Ａ，Ｉｃｏｄ，Ｉｄａｔ）を求めることにより行なわれる
（ケ）「【００５８】
　図５ｃは、データキャリアＩＭｅｘもまたアプリケーションプロセッサｕＰ−ＩＭを有・・・・・・・（中略）・・・・・・
簡単な形ｆ２（Ａ，ｆ１）であり得る。
最も簡単な形においては、端末ＷＲ，ＷＲＺでは認可システムＡの規則の順守のみがなされ
（コ）「【００６０】
　図６は、アプリケーション情報Ｉｅｘを用いてアプリケーションＡｐｐを初期化するためのこの発明に従うシステムを概略的に示し、これは被認可端末ＷＲＺにより、データキ・・・・・・・（中略）・・・・・・
的には、
認可システムＡの枠内において、任意のタイプのさまざまな独立したアプリケーションを、被認可端末ＷＲＺおよびデータキャリアＩＭｅｘを介して、さまざまな割当てられた端末ＷＲへ、任意の組合せによって、存在するメモリ容量が足りる限り初期化することができる
　との記載があるのみであり、当初明細書等においては、
「前記階層的認可システム（Ａ）との整合は前記端末（ＷＲ，ＷＲＺ）によって実行される」
　点に関しては記載されていない。
　また、上記（ア）〜（コ）に引用する当初明細書等の記載には、上記（キ）に、
「
認可規則Ａの順守は、端末ＷＲにおいて、端末のアプリケーションプロセッサｕＰ−ＷＲにより関数ｆ（Ａ，Ｉｃｏｄ，Ｉｄａｔ）を求めることにより行なわれる
　同じく、上記（ケ）に、
「
端末ＷＲ，ＷＲＺでは認可システムＡの規則の順守のみがなされ
　といった記載が存在するが、上記引用記載中の「順守」と、補正後の請求項１及び請求項１９に記載の「整合」とは、“同義”ではなく、また、当初明細書等には、「整合」については、何ら記載されておらず、したがって、「順守」と、「整合」の関係については、当初明細書等には、何ら記載されていない。
　そして、上記（ア）〜（コ）及び当初明細書等の他の記載内容を加味しても、補正後の請求項１及び請求項１９に記載の、
「前記階層的認可システム（Ａ）との整合は前記端末（ＷＲ，ＷＲＺ）によって実行される」ことが読み取れるものではない。
　以上のとおりであるから、本件手続補正は当初明細書等の記載の範囲内でなされたものではないので、
　本件手続補正は、平成１４年法律第２４号改正附則第３条第１項によりなお従前の例によるとされる同法による改正前の特許法第１８４条の１２第２項により読み替える同法第１７条の２第３項の規定に違反するので、同法第１５９条第１項において読み替えて準用する同法第５３条第１項の規定により却下すべきものである。
　
３−２．独立特許要件
　上記項目３−１で指摘のとおり、本件手続補正は、平成１４年法律第２４号改正附則第３条第１項によりなお従前の例によるとされる同法による改正前の特許法第１８４条の１２第２項により読み替える同法第１７条の２第３項の規定に違反するので、同法第１５９条第１項において読み替えて準用する同法第５３条第１項の規定により却下すべきものであるが、仮に、本件手続補正が、特許請求の範囲の限定的減縮を目的としたものであるとした場合に、本件手続補正が、平成１８年法律第５５号改正附則第３条第１項によりなお従前の例によるとされる同法による改正前の特許法第１７条の２第５項において準用する同法第１２６条第５項の規定を満たすものであるか否か、即ち、補正後の請求項に記載の発明が、特許出願の際独立して特許を受けることができるか否かについて、以下に検討する。
　
３−２−１．特許法第３６条第６項第１号について
　補正後の請求項１及び請求項１９に記載の、
「前記階層的認可システム（Ａ）との整合は前記端末（ＷＲ，ＷＲＺ）によって実行される」について、当初明細書等には、「前記階層的認可システム（Ａ）との整合は前記端末（ＷＲ，ＷＲＺ）によって実行される」に対応する記載は存在せず、「階層的認可システム」に関連する記載として、上記項目３−１において、上記（ア）〜（コ）として引用した記載が存在するが、これらの記載、並びに、当初明細書等の他の記載内容を加味しても、「前記階層的認可システム（Ａ）との整合は前記端末（ＷＲ，ＷＲＺ）によって実行される」ことが、当業者にとって自明の事項とも認められない。
　以上のとおりであるから、補正後の請求項１及び請求項１９に記載の発明は、発明の詳細な説明に記載したものでない。
　
３−２−２．特許法第３６条第６項第２号について
（１）補正後の請求項１及び請求項１９に、
「前記階層的認可システム（Ａ）との整合は前記端末（ＷＲ，ＷＲＺ）によって実行される」と記載されているが、
　ａ．「階層的認可システム（Ａ）との整合」とは、「階層的認可システム（Ａ）」と“何”との「整合」であるか、同請求項１及び請求項１９の記載内容からは不明である。
　ｂ．仮に、「階層的認可システム（Ａ）との整合」が、「階層的認可システム（Ａ）」と「アプリケーション（Ａｐｐ）」との「整合」であるとして、
“「アプリケーション（Ａｐｐ）」と「階層的認可システム（Ａ）との整合」は「端末（ＷＲ，ＷＲＺ）によって実行される」”とは、どのような処理を表現したものであるか、同請求項１及び請求項１９に記載の内容からは不明である。
　
（２）補正後の請求項２乃至請求項１８は、補正後の請求項１を直接・間接に引用するものであるから、上記３−２−２．（１）で指摘の明確でない構成を内包し、かつ、補正後の請求項２乃至請求項１８に記載の内容を加味しても、上記３−２−２．（１）で指摘の明確でない構成が明確になるものでもない。
　
　以上（１）及び（２）のとおりであるから、補正後の請求項１乃至１９に記載の発明は明確でない。
　
３−２−３．特許法第３６条第４項第１号について
　補正後の請求項１及び請求項１９に記載の、
「前記階層的認可システム（Ａ）との整合は前記端末（ＷＲ，ＷＲＺ）によって実行される」について、当初明細書等には、上記項目３−１で上記（ア）〜（コ）として引用した記載程度しか存在しておらず、上記（ア）〜（コ）及び当初明細書等の他の記載内容を加味しても、“整合”とは、そもそも、どのようなものを意図しているのか、そして、“何”と“階層的認可システム（Ａ）との整合”が、「端末（ＷＲ，ＷＲＺ）」によって、どのように「実行」されているのか不明であるから、
　本願の発明の詳細な説明は、その発明が属する技術分野に属する通常の知識を有する者がその実施をすることができる程度に明確かつ十分に記載したものでない。
　
　以上のとおり、補正後の請求項１及び請求項１９は、特許法第３６条第６項第１号の規定に違反し、補正後の請求項１乃至１９は、特許法第３６条第６項第２号の規定に違反し、本願の発明の詳細な説明は、特許法第３６条第４項第１号の規定に違反しているので、補正後の請求項に記載の発明は、特許出願の際独立して特許を受けることができない。
　
　よって、本件手続補正は、仮に限定的減縮を目的としたものであったとしても、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
４．補正却下むすび
　以上、上記項目３−１で検討したように、
　本件手続補正は、平成１４年法律第２４号改正附則第３条第１項によりなお従前の例によるとされる同法による改正前の特許法第１８４条の１２第２項により読み替える同法第１７条の２第３項の規定に違反するので、同法第１５９条第１項において読み替えて準用する同法第５３条第１項の規定により却下すべきものである。
　また、仮に、本件手続補正が、限定的減縮を目的としたものであるとしても、上記項目３−２で検討したように、
　本件手続補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　よって、結論のとおり決定する。
　
その３．本願発明について
　平成２１年１０月２１日付けの手続補正は、上記のとおり却下されたので、本願に係る発明は、平成２１年３月３１日付けの手続補正により補正された、特許請求の範囲の請求項１に記載された事項により特定される次のとおりのものである。
「アプリケーション（Ａｐｐ）のアプリケーション情報（Ｉｅｘ）を、階層的認可システム（Ａ）内の複数の端末（ＷＲ）へ転送することにより、前記アプリケーション（Ａｐｐ）を、初期化または拡張するための方法であって、前記階層的認可システムは、互いに非接触で通信する移動データキャリア（ＩＭ）と端末（ＷＲ）とを含み、
　ａ）　少なくとも１つの端末（ＷＲ）を選択して認可し、前記端末（ＷＲ）にアプリケーション情報（Ｉｅｘ）をロードするステップを備え、それにより被認可端末（ＷＲＺ）となり、
　ｂ）　その後、移動データキャリア（ＩＭ）を前記被認可端末（ＷＲＺ）に呈示した際に、前記アプリケーション情報（Ｉｅｘ）を、前記移動データキャリア（ＩＭ）にロードするステップを備え、それにより、ロードされた移動データキャリア（ＩＭｅｘ）となり、
　ｃ）　前記ロードされた移動データキャリア（ＩＭｅｘ）を他の端末（ＷＲ）に呈示する間に、これらの他の端末（ＷＲ）がアプリケーション（Ａｐｐ）に関連付けられている場合に、アプリケーション情報（Ｉｅｘ）をこれらの他の端末（ＷＲ）に送信するステップと、
　ｄ）　前記移動データキャリア（ＩＭ）およびロードされた移動データキャリア（ＩＭｅｘ）が前記階層的認可システムにおいて認可されると、前記アプリケーション情報（Ｉｅｘ）を考慮に入れて、これらの他の端末（ＷＲ）において、前記アプリケーションＡｐｐを実行するステップを含む、方法。」
　
その４．引用刊行物に記載の発明
　原審が拒絶の理由に引用した、本願の第１国出願前に既に公知である欧州特許出願公開第１０８７５６７号明細書（２００１年３月２８日公開、以下、「引用刊行物１」という）には、関連する図面とともに次の事項が記載されている。
　
Ａ．「[0016]　Messages may be stored in the memories of first nodes or second nodes. For example, a user may wish to record a message about a particular device, such as “this printer is not working” or the user may wish to leave a message for another user at his workstation. Messages pertaining to informal knowledge about the device may also be stored in the first node for ready access by a user. The user first creates the message on his PDA. The user then couples his PDA to the iButton associated with the device or location to which he wishes to store the message. Messages may be transmitted by docking the PDA to the iButton via a receptor or using some other traditional transmission media. If the message pertains to the device, no further transmission is required. Later, users docking with the first node may read the message. 
[0017]　
If the message is intended for a different first node or second node, transmission of the message from one node to another node is accomplished through a sequence of message exchanges between pairs of first nodes and second nodes and between pairs of second nodes. This is accomplished by the movement of users carrying a second node and communicating selectively with first nodes
[0018]　A message includes both content and information representing the message's transmission status or state. Transmission status or state may be one of new, in transit, delivered or expired. When a user creates a message, its status is new. Also, when a message is copied, the status of the copy is new. When the message is transferred to any node, not the destination node, its status is in transit. When the message is delivered to the destination node, its status is delivered. Note that destination nodes are either first nodes or second nodes. 」
（[0016]　メッセージは、第１ノード、或いは、第２ノードのメモリに格納される。例えば、利用者が、“このプリンタは故障中です”といった、特定のデバイスについてのメッセージを記録することを望む、或いは、ユーザが、彼のワークステーションの他のユーザのために、メッセージを残すことを望む。そのデバイスについての非公式な知識に関するメッセージもまた、ユーザによって直ぐ使えるよう、第１ノードに格納される。ユーザは、最初、そのメッセージを彼のＰＤＡ上で作成する。ユーザは、次に、メッセージを格納したいデバイス、或いは、場所に関連付けられたアイボタンと、彼のＰＤＡとをつなぐ。メッセージは、結合しているＰＤＡによって、アイボタンへ、レセプタを介して、或いは、何か他の従来の転送媒体を用いて、転送される。
[0017]　もし、メッセージが、他の第１ノード、或いは、第２ノード向けのものであれば、１つのノードから他のノードへのメッセージの転送は、第１ノードと第２ノードの組の間、及び、第２ノードの組の間における一連のメッセージ交換を通じて達成される。これは、第２ノードを運ぶユーザの動作と、第１ノードへの選択的な通信によって達成される。
[0018]　メッセージは、コンテンツとメッセージの転送状況、或いは、状態を示す情報との両方を含む。転送の状況、或いは、状態は、新規、転送中、送られた、期限切れ、の内の１つである。ユーザがメッセージを作成したとき、その状態は、新規である。メッセージが複写されるときもまた、その状態は、新規である。メッセージが、送り先のノードではない、何れかのノードに送られているときは、その状態は、転送中である。メッセージが、送り先のノードに届けられるとき、その状態は、送られたである。送り先のノードは、第１ノード、或いは、第２ノードの何れかであることに注意されたい。＜当審にて訳出。以下同じ。＞）
　
Ｂ．「[0024]　The decentralized network system also makes it possible for users with mobile devices to participate in multiple “virtual networks” without reconfiguring firewalls (the standard security measures employed by fixed networks). Unlike wireless networks, the decentralized network system is immune to electronic eavesdropping. First, the range of transmission can be minimized. Transmission of messages between iButtons and PDAs may be accomplished by docking the PDA to the iButton through a receptor.
 Alternatively, very short range (IR or RF of the range of inches to a few feet) may be used
Additionally, individual first nodes and second nodes can be encrypted so that only specifically encrypted nodes can receive and download messages. This also ensures that there is no crosstalk between the virtual networks
[0025]　The decentralized network system makes it possible for information to be shared and distributed where needed simply by the everyday actions of groups of users. The users need not be aware of how the distribution is taking place or of the details of their participation in the process. Information, such as hints, tips and other comments, can be associated with physical objects in the work environment and made easily available to colleagues by storing them in the first nodes (e.g., iButton), ready for reading by a user with a PDA (second node). 
[0026]　In the same way, when a user visits a device, not only can the user leave comments on the associated first node (iButton), but the first node can also transfer messages (created by another user) to the user's PDA. The messages transmitted to the second node may be either visible or invisible to the user, depending on their relevance to the user. Relevance depends on both the person's identity and the current context. Users may be notified, for example, about messages addressed specifically to them or pertaining to their current location. When the user next visits another device, the messages stored in the PDA can then be selectively passed along. Through the cumulative actions of many people interacting with many devices in this way, messages are transferred node-by-node across the network.」
（[0024]分散ネットワークシステムは、また、移動体を有するユーザにとって、ファイアウォールを再構成することなく、多数の「仮想ネットワーク」に参加することを可能にする（固定されたネットワークが用いる通常のセキュリティ・メッセージ）。無線ネットワークとは異なり、分散ネットワークシステムは、電子的な傍受の影響を受けない。まず、転送の距離を最小化し得る。アイボタンとＰＤＡ間のメッセージの転送は、レセプタを介してＰＤＡとアイボタンとの接続によって達成される。或いは、非常に短い距離（赤外線、或いは、数インチから２〜３フィートの距離の電波）が用いられる。加えて、特に暗号化されたノードのみがメッセージの受信とダウンロードができるよう、第１ノードと第２ノードのそれぞれは暗号化され得る。これは、また、仮想ネットワーク間のクロストークがないことを保証する。
[0025]　分散ネットワークシステムは、単にグループのユーザの日常の行動によって必要な場所で、情報が共有され分配されることを可能にする。ユーザは、分散がどのように行われているか、あるいはプロセスにおけるそれらの関与を詳細に知る必要はない。例えば、ヒント、助言、及び、他のコメントといった情報は、作業環境における物理的なデバイスに関連付け、（アイボタンといった）第１ノードにそれらを格納することで、同僚に簡単に利用可能とし、そして、ＰＤＡ（第２ノード）を用いて、ユーザが読むために準備し得る。
[0026]　同様に、ユーザがデバイスにアクセスすると、関連した第１ノード（アイボタン）に、ユーザがコメントを渡すことができるだけではなく、第１ノードもまた、メッセージ（他のユーザによって作成された）を、ユーザのＰＤＡに転送することができる。第２ノードに送信されたメッセージは、ユーザとこれらの関連性に依存して、ユーザに可視、或いは、不可視の何れかである。関連性は、身元と今の状況との両方に依存している。ユーザには、例えば、特に、ユーザ宛の、或いは、ユーザの現在の位置に関するメッセージについて、通知される。ユーザが、次の他のデバイスにアクセスすると、ＰＤＡに保存されたメッセージは、そのとき、選択的に転送される。この手法における、多くの人々の多くのデバイスへの接触する行動の累積を通じて、メッセージは、ネットワークにわたって、ノードからノードへの転送される。）
　
Ｃ．「[0031]　To facilitate transfer of message in the decentralized network system, each first node and each second node (and the third node, if present) must operate in accordance with a predetermined method or process of creating, storing and handling messages. The methods are preferably implemented, in a preferred embodiment of the invention, 
as an application program or a cooperative set of application programs executed on the first nodes, the second nodes and the hive, if a hive is present in the system
（[0031]　分散ネットワークシステム内の、メッセージの転送を容易にするために、それぞれの第１ノード、及び、それぞれの第２ノード（、及び、もしあれば、第３ノード）は、メッセージを生成する、格納する、取り扱う、予め定められた方法、或いは、プロセスに従って、動作しなければならない。発明の好適実施態様において、その方法は、望ましくは、第１ノード、第２ノード、そして、システム内にハイブ（巣箱）が存在すれば、ハイブにおいて処理される、アプリケーション・プログラム、或いは、アプリケーション・プログラムの共同のセットとして、実装される。）
　
Ｄ．「[0033]　Referring to the drawings, and now in particular with reference to  Figure 1 , a decentralized network system or pollen network is shown therein and referred to by reference numeral  100 . System  100  provides for the transfer and exchange of messages or pollen. System  100  includes a plurality of first nodes  12 , a plurality of second nodes  20  and a third node or hive  50 . Each first node  12  is associated with a device or location designated by  10 . As noted above device  10  may be a printer, facsimile machine, book or the like. Location  10  may be a room, area or building. Each first node  12  preferably includes a 
miniaturized computer, such as an iButton, with a processor and dedicated memory for storing messages and a communications port
If the first node has a processor, then it is programmed with a predetermined routine which determines which messages it will accept for storage and the priority for storing messages in light of the limited storage capacity of its memory
（[0033]　図を参照すると、今、特に、図１に関して、分散ネットワークシステム、或いは、ポレン（花粉）・ネットワークが、そこに示され、参照番号１００で参照される。システム１００は、メッセージ、或いは、ポレンを転送、及び、交換することを提供する。システム１００は、複数の第１ノード１２と、複数の第２ノード１０と、第３ノード、或いは、ハイブ５０を備える。それぞれの第１ノード１２は、１０で指定されるデバイス、或いは、場所に関連付けられている。上記のデバイス１０としては、プリンタ、ファックス、本などである。場所１０は、部屋、空き地、或いは、建物である。第１ノード１２のそれぞれは、例えば、アイボタンなどの、プロセッサと、メッセージを格納するための専用のメモリと、通信ポートとを有する、小型化されたコンピュータを含む。しかしながら、第１ノードはプロセッサを有する必要はない；それは、専用のメモリと、通信ポートのみを有するかもしれない。もし、第１ノードがプロセッサを有していれば、それは、それが記憶装置用にどのメッセージを受理するか決める、前もって定義したルーチン、および、そのメモリの制限のある記憶容量に照らしてメッセージを格納するための優先度によって、プログラムされる。）
 
Ｅ．「[0040]　Unlike wireless networks based on radio or infrared technology, pollen (messages) is not susceptible to electronic eavesdropping. First, messages are only exchanged directly between devices using the receptor or very short range IR or RF transmission.
 Second, public-key encryption may be used to ensure that unauthorized nodes are not allowed to receive information
（[0040]　電波、或いは、赤外線技術に基づく無線ネットワークとは異なり、ポレン（メッセージ）は、電子的傍受の影響を受けない。第１に、メッセージが、単に、レセプタ、或いは、非常に短い距離の赤外線、或いは、電波転送を用いてデバイス間で直接に交換される。第２に、公開鍵暗号は無許可のノードが情報を得るのを許されないことを保証するために使用される。メッセージが、予測不能のパスをたどることもあって、潜在的な盗聴者は、２つのノード間の全てのトラフィックを捕らえること、或いは、通信が発生していることさえ知っていることの確信を得ることが不可能である。）
　
Ｆ．「[0043]　Depending on the available memory on the iButton attached to a particular device, 
the iButton may include pollen in the form of an automated troubleshooting or help (similar to the wizards on MS operating systems) program, as a client-server application, with the iButton functioning as a server and the PDA functioning as a client. Alternatively, many small applications (such as Java applets) could be downloaded from the iButton to the PDA, or vice versa, as another kind of pollen message
（[0043]　特定のデバイスに付けられたアイボタン上の利用可能なメモリに依存して、アイボタンは、自動化されたトラブルシューティング、或いは、ヘルプ・プログラム（ＭＳオペレーティング・システム上の、ウィザードのような）の形式で、アイボタンがサーバとして機能し、ＰＤＡがクライアントとして機能するような、クライアント−サーバ・アプリケーションとして、ポレンを含んでいる。あるいは、多くの小さなアプリケーション（例えば、ＪＡＶＡアプレットのような）が、アイボタンからＰＤＡに、或いは、その逆に、他の異なるポレン・メッセージとして、ダウンロードされ得る。）
　
Ｇ．「[0045]　The pollen network is less expensive than traditional networks to establish. First nodes in the pollen network can be added or removed trivially, with almost zero administrative overhead (apart from initializing the iButton appropriately and affixing it to the device). An advantage in using iButtons in the pollen network is their ease of installation and lack of maintenance. Once an iButton is affixed to a device and the basic pollen environment (program or operating routine) is installed on it, nothing more need be done since all further updates can be carried out as part of normal pollen operation (i.e., 
a user can download an application update during a regular PDA visit
（[0045]　ポレン・ネットワークは、通常のネットワークより、開設に費用がかからない。ポレン・ネットワークにおける第１ノードは、自明に、管理上のオーバーヘッド（アイボタンを適切に初期化すること、及び、それを、デバイスに貼り付けることは別として）がほとんどなしで、加えられたり、取り外されたりすることができる。ポレン・ネットワーク上で、アイボタンを私用する利点は、設定のし易さと、メンテナンスが不要であることである。一旦、アイボタンをデバイスに貼り付け、それに、基本的なポレン環境（プログラム、或いは、処理ルーチン）をインストールすると、全ての追加的なアップデートは、通常のポレン処理（例えば、ユーザが、いつものＰＤＡがアクセスする間に、アプリケーションのアップデートをダウンロードすることができる。）として行うことができるので、それ以上は、何もする必要がない。）
　
Ｈ．「[0049]　
In addition to the infrastructure of PDAs and iButtons, the pollen network could be expanded by the addition of an infrared infrastructure. An IR infrastructure in addition to the pollen network would allow more continual connectivity. For example, devices with infrared ports could replace iButtons to allow contactless exchange of Pollen. PDAs with infrared ports (such as Psions and Palm Pilots) could directly exchange pollen messages via infrared. Also infrared transceivers could allow PDAs to communicate with the hive or other servers. Infrared networks have been put in place as research testbeds in support of mobile workers and do not require physical docking
[0050]　
Messages are transmitted in the pollen network from one arbitrary node to another in the pollen network by a sequence of exchanges between first nodes and second nodes, between second nodes and second nodes, and between second nodes and the hive (if the hive is present)
Second, the message can pass through intermediate nodes  38 , carried from node to node by a number of different users (path  46 )
（[0049]　ＰＤＡとアイボタンの基盤設備に加えて、ポレン・ネットワークは、赤外線の基盤設備の附加によって、拡張することが可能である。ポレン・ネットワークに加えて、ＩＲ基盤設備は、より継続的な接続性を許すであろう。例えば、赤外線ポートを有するデバイスは、非接触でのポレンの交換を可能とするために、アイボタンと、置換可能である。（サイオンとパーム・パイロットといった）赤外線ポートを有するＰＤＡは、赤外線を介して、直接、ポレン・メッセージを、交換可能である。　また、赤外線送受信機は、ＰＤＡに、ハイブ、或いは、他のサーバと通信することを許可し得る。赤外線ネットワークは、モバイル・ワーカーを支援して、物理的ドッキングを要求することなく、研究テストベッドとして、適所に配置された。
[0050]　メッセージは、第１ノードと第２ノードの間、第２ノードと第２ノードとの間、及び、（もし、ハイブが存在するのあれば）第２ノードとハイブとの間の、一連の交換によって、一つの任意なノードから、ポレン・ネットワーク内の他へ、ポレン・ネットワーク内において、転送される。図３を参照すると、何れの方法においても、メッセージは、２つの任意のノード間を渡らされ得る。第１に、ユーザは、1つの装置に付けられたあるノードから目的地装置３６に付けられた、別のノードまで、その人のウエアラブル・コンピューター上のソース・ノード３４からのメッセージを、直接伝えることができる（経路４２）。第２に、メッセージは中間ノード３８を通じて、多くの異なるユーザによって、ノードからノードへ運ばれる（経路４６）。第３に、メッセージは、他のノードへの経路上のハイブ５０を通過し得る；１のユーザがドッキングしたときに、ハイブにメッセージを預け、二番目のユーザが、後で、ドッキングしたときに、それを拾い上げることで（経路４４）。）
　
（あ）上記Ａで引用した[0017]に記載の、
「もし、メッセージが、他の第１ノード、或いは、第２ノード向けのものであれば、１つのノードから他のノードへのメッセージの転送は、第１ノードと第２ノードの組の間、及び、第２ノードの組の間における一連のメッセージ交換を通じて達成される」から、
“メッセージの交換は、複数のノードを介して行われる”ことが、引用刊行物１から読み取れる。
　
（い）上記Ｂで引用した[0024]に記載の、
「或いは、非常に短い距離（赤外線、或いは、数インチから２〜３フィートの距離の電波）が用いられる」から、
“ノード間のメッセージの転送には、赤外線などの非接触通信が用いられる”ことが、引用刊行物１から、読み取れる。
　
（う）上記Ｂで引用した[0026]に記載の、
「ユーザがデバイスにアクセスすると、関連した第１ノード（アイボタン）に、ユーザがコメントを渡すことができるだけではなく、第１ノードもまた、メッセージ（他のユーザによって作成された）を、ユーザのＰＤＡに転送することができる。第２ノードに送信されたメッセージは、ユーザとこれらの関連性に依存して、ユーザに可視、或いは、不可視の何れかである。関連性は、身元と今の状況との両方に依存している。ユーザには、例えば、特に、ユーザ宛の、或いは、ユーザの現在の位置に関するメッセージについて、通知される。ユーザが、次の他のデバイスにアクセスすると、ＰＤＡに保存されたメッセージは、そのとき、選択的に転送される」から、
“第１ノード（アイボタン）に第２ノード（ＰＤＡ）がアクセスした場合に、第１ノードから、第２ノードへ、或いは、第２ノードから、第１ノードへ、メッセージが転送されること、該メッセージは、第２ノードにおいては、ユーザの身元と現在の状況とに応じて、可視、或いは不可視にすることができること、第１ノードから、第２ノードへ、第２ノードのユーザ宛のメッセージについて、通知されること、第１ノードにアクセスした第２ノードが、次のデバイスにアクセスすると、保存されたメッセージが、選択的に転送される”ことが、引用刊行物１から、読み取れる。
　
（え）上記Ｃで引用した[0031]に記載の、
「発明の好適実施態様において、その方法は、望ましくは、第１ノード、第２ノード、そして、システム内にハイブ（巣箱）が存在すれば、ハイブにおいて処理される、アプリケーション・プログラム、或いは、アプリケーション・プログラムの共同のセットとして、実装される」から、
“第1ノード、第２ノード、ハイブに、アプリケーション・プログラムが実装されている”ことが、引用刊行物１から、読み取れる。
　
（お）上記Ｄで引用した[0033]に記載の、
「第１ノード１２のそれぞれは、例えば、アイボタンなどの、プロセッサと、メッセージを格納するための専用のメモリと、通信ポートとを有する、小型化されたコンピュータを含む」、及び、
「第１ノードがプロセッサを有していれば、それは、それが記憶装置用にどのメッセージを受理するか決める、前もって定義したルーチン、および、そのメモリの制限のある記憶容量に照らしてメッセージを格納するための優先度によって、プログラムされる」から、
“第１ノードは、プロセッサと、メッセージを格納するためのメモリと、通信ポートを有する小型コンピュータである態様を含み、プロセッサを有する場合には、第１ノードが、どのメッセージを受信するかを決めるためにプログラムされる”ことが、引用刊行物１から、読み取れる。
　
（か）上記Ｅで引用した[0040]に記載の、
「第１に、メッセージが、単に、レセプタ、或いは、非常に短い距離の赤外線、或いは、電波転送を用いてデバイス間で直接に交換される。第２に、公開鍵暗号は無許可のノードが情報を得るのを許されないことを保証するために使用される」から、
　“メッセージの交換に、赤外線、或いは、近距離無線が用いられる”こと、及び、“無許可のノードは、メッセージをデコードできない”ことが、引用刊行物１から、読み取れる。
　
（き）上記Ｆで引用した[0043]に記載の、
「アイボタンは、自動化されたトラブルシューティング、或いは、ヘルプ・プログラム（ＭＳオペレーティング・システム上の、ウィザードのような）の形式で、アイボタンがサーバとして機能し、ＰＤＡがクライアントとして機能するような、クライアント−サーバ・アプリケーションとして、ポレンを含んでいる。あるいは、多くの小さなアプリケーション（例えば、ＪＡＶＡアプレットのような）が、アイボタンからＰＤＡに、或いは、その逆は、他の異なるポレン・メッセージとして、ダウンロードされ得る」から、
“第１ノードには、第１ノードがサーバとして機能し、第２ノードがクライアントとして機能するようなアプリケーションが含まれる”こと、或いは、“第１ノードから、第２ノードへ、アプリケションがダウンロードされ得る”ことが、引用刊行物１から、読み取れる。
　
（く）上記Ｇで引用した[0045]に記載の、
「アイボタンをデバイスに貼り付け、それに、基本的なポレン環境（プログラム、或いは、処理ルーチン）をインストールすると、全ての追加的なアップデートは、通常のポレン処理（例えば、ユーザが、いつものＰＤＡがアクセスする間に、アプリケーションのアップデートをダウンロードすることができる。）として行うことができるので、それ以上は、何もする必要がない」から、
“第１ノードに最初に基本的なプログラムをインストールすると、以降は、第２ノードとのアクセス時点に、アップデート・プログラムがダウンロードされる”ことが、引用刊行物１から、読み取れ、この内容と、上記（く）で指摘の事項から、
“第１ノードと第２ノード間で授受されるメッセージには、アプリケーションが含まれる”ことは、明らかである。
　
（け）上記Ｈで引用した[0049]に記載の、
「ＰＤＡとアイボタンの基盤設備に加えて、ポレン・ネットワークは、赤外線の基盤設備の附加によって、拡張することが可能である。ポレン・ネットワークに加えて、ＩＲ基盤設備は、より継続的な接続性を許すであろう。例えば、赤外線ポートを有するデバイスは、非接触でのポレンの交換を可能とするために、アイボタンと、置換可能である。（サイオンとパーム・パイロットといった）赤外線ポートを有するＰＤＡは、赤外線を介して、直接、ポレン・メッセージを、交換可能である」から、
“第１ノードと第２ノードとは、非接触の赤外線通信を用いてメッセージの交換を行う”ことが、引用刊行物１から、読み取れ、
　同[0050]に記載の、
「第１に、ユーザは、1つの装置に付けられたあるノードから目的地装置３６に付けられた、別のノードまで、その人のウエアラブル・コンピューター上のソース・ノード３４からのメッセージを、直接伝えることができる（経路４２）。第２に、メッセージは中間ノード３８を通じて、多くの異なるユーザによって、ノードからノードへ運ばれる（経路４６）。第３に、メッセージは、他のノードへの経路上のハイブ５０を通過し得る；１のユーザがドッキングしたときに、ハイブにメッセージを預け、二番目のユーザが、後で、ドッキングしたときに、それを拾い上げることで（経路４４）」における、「複数のユーザ」とは、“ＰＤＡ、即ち、第２ノードを有するユーザ”のことを指し示すことは明らかであるから、上記引用の記載から、
“メッセージが、第１ノードから、第２ノードを介して、他の第１ノードへ転送される、或いは、第１ノードから、第２ノードを介して、中間ノードへ、そして、他の第２ノードを、介して、他の第１ノードへ転送される”ことが読み取れる。
　
（こ）上記（え）で指摘したように、引用刊行物１に記載の第１ノード、第２ノード、ハイブには、“プログラムが実装され”、
　上記（お）で指摘したように、引用刊行物１に記載の第１ノードは、“メッセージを受信するかを決めるためにプログラムされ”、
　上記（く）で指摘したように、引用刊行物１に記載の第１ノードは、“基本的なプログラムがダウンロードされ、また、追加のアップデート・プログラムが第２ノードから送信される”ことから、
　上記（お）で指摘の“第１ノードがプログラムされ”るとは、“第１ノードにプログラムがダウンロードされる”ことを意味し、
　上記（え）で指摘の“第１ノード、第２ノード、ハイブにはプログラムが実装され”とは、例えば、“第１ノードが、ダウンロードされ、或いは、第２ノードから送信されたプログラムを保持する”ことを意味することは明らかである。
　
（さ）上記（う）で指摘の“メッセージは、第２ノードにおいては、ユーザの身元と現在の状況に応じて、可視、或いは、不可視にすることができること、第２ノードが次のデバイスにアクセスすると、保存されたメッセージが、選択的に転送される”ことと、
　及び、上記（か）で指摘の“無許可のノードはメッセージをデコードできない”から、
　引用刊行物１に記載のシステムにおいては、“ノード間でメッセージ、即ち、プログラムの授受を行う場合に、該プログラムの使用に関する認証を行い、使用許可である場合には、可視、或いは、デコード可能となる”ことは明らかである。
　そして、上記Ａ〜Ｈから、引用刊行物１に記載のシステムは、複数の第１ノード、複数の第２ノード、中間ノード、ハイブ等を有することは明らかであるから、
　
　したがって、以上（あ）〜（さ）で検討した事項から、引用刊行物１には、次の発明（以下、「引用発明」という）が記載されているものと認める。
　
　メッセージ、或いは、アプリケーション・プログラムを、システム内の複数のノードへ転送するための方法であって、前記システムは、互いに非接触通信することが可能な、第１ノード、第２ノート、ハイブ等を含み、
　任意の第１ノードにメッセージ、或いは、アプリケーション・プログラムをダウンロードするステップを有し、
　前記メッセージ、或いは、アプリケーション・プログラムをダウンロードされた第１ノードと第２ノードとの間で、非接触通信を行うことで、メッセージ、或いは、アプリケーション・プログラムを、前記第１ノードから、前記第２ノードへ、転送するステップと、
　前記メッセージ、或いは、アプリケーション・プログラムを転送された第２ノードから、前記転送されたメッセージ、或いは、アプリケーション・プログラムを、他の第１ノードとの間で非接触通信を行うことで、選択的に転送するステップと、
　ノードにおいて、メッセージ、或いは、アプリケーション・プログラムの使用許可に関する認証を行い、使用が許可の場合は、前記メッセージ、或いは、アプリケーション・プログラムが、可視、或いは、デコード可能となるステップを含む、方法。
　
その５．本願発明と引用発明との対比
　次に、本願発明と引用発明とを対比する。
（ａ）引用発明における「第２ノード」、「第１ノード」が、それぞれ、
　本願発明における「移動データキャリア（ＩＭ）」、「端末（ＷＲ）」に相当し、
（ｂ）引用発明における「システム」と、
　本願発明における「階層的認可システム」とは、
“複数の端末（ＷＲ）を有するネットワークシステム”である点で共通し、
（ｃ）引用発明における「メッセージ、或いは、アプリケーション・プログラム」と、
　本願発明における「アプリケーション（Ａｐｐ）のアプリケーション情報（Ｉｅｘ）」とは、
「移動データキャリア（ＩＭ）」と、「端末（ＷＲ）」との間で送信される“転送情報”である点で共通するので、
　引用発明における「メッセージ、或いは、アプリケーション・プログラムを、システム内の複数のノードへ転送するための方法」と、
　本願発明における「アプリケーション（Ａｐｐ）のアプリケーション情報（Ｉｅｘ）を、階層的認可システム（Ａ）内の複数の端末（ＷＲ）へ転送することにより、前記アプリケーション（Ａｐｐ）を、初期化または拡張するための方法」とは、
“転送情報を、複数の端末（ＷＲ）を有するネットワークシステム内の複数の端末（ＷＲ）に転送する方法”である点で共通し、
（ｄ）引用発明における「任意の第１ノードにメッセージ、或いは、アプリケーション・プログラムをダウンロードするステップ」と、
　本願発明における「少なくとも１つの端末（ＷＲ）を選択して認可し、前記端末（ＷＲ）にアプリケーション情報（Ｉｅｘ）をロードするステップ」とは、
“端末（ＷＲ）に、転送情報をロードするステップ”である点で共通し、
（ｅ）引用発明における「メッセージ、或いは、アプリケーション・プログラムをダウンロードされた第１ノード」と、
　本願発明における「被認可端末（ＷＲＺ）」とは、
“転送情報をロードされた端末”である点で共通し、
（ｆ）引用発明における「メッセージ、或いは、アプリケーション・プログラムをダウンロードされた第１ノードと第２ノードとの間で、非接触通信を行うことで、メッセージ、或いは、アプリケーション・プログラムを、前記第１ノードから、前記第２ノードへ、選択的に転送するステップ」と、
　本願発明における「移動データキャリア（ＩＭ）を、前記被認可端末（ＷＲＺ）に提示した際に、前記アプリケーション情報（Ｉｅｘ）を、前記移動データキャリア（ＩＭ）にロードするステップ」とは、
“移動データキャリア（ＩＭ）を、転送情報をロードされた端末に提示した際に、転送情報を、前記移動データキャリア（ＩＭ）にロードするステップ”である点で共通し、
（ｇ）引用発明における「メッセージ、或いは、アプリケーション・プログラムを転送された第２ノード」と、
　本願発明における「ロードされた移動データキャリア（ＩＭｅｘ）」とは、
“移動情報をロードされた移動データキャリア”である点で共通し、
（ｈ）引用発明における「メッセージ、或いは、アプリケーション・プログラムを転送された第２ノードから、前記転送されたメッセージ、或いは、アプリケーション・プログラムを、他の第１ノードとの間で非接触通信を行うことで、選択的に転送するステップ」とは、当該「転送されたメッセージ、或いは、アプリケーション・プログラム」が、「他の第１ノード」に送信すべきものであるかの“関連性”をみることで、「選択的に転送」していることは明らかであるから、
　本願発明における「ロードされた移動データキャリア（ＩＭｅｘ）を他の端末（ＷＲ）に呈示する間に、これらの他の端末（ＷＲ）がアプリケーション（Ａｐｐ）に関連付けられている場合に、アプリケーション情報（Ｉｅｘ）をこれらの他の端末（ＷＲ）に送信するステップ」とは、
　“転送情報をロードされた移動データキャリアを他の端末に提示したときに、これら他の端末が、転送情報に関連する情報、或いは、転送情報に関連付けられている場合に、転送情報をこれら他の端末に送信するステップ”である点で共通しているので、
　上記（ａ）〜（ｈ）にて検討した事項から、本願発明と引用発明との一致点、及び、相違点は次のとおりである。
　
［一致点］
　転送情報を、複数の端末（ＷＲ）を有するネットワークシステム内の複数の端末（ＷＲ）に転送する方法であって、
　前記ネットワークシステムは、互いに非接触で通信する移動データキャリア（ＩＭ）と端末（ＷＲ）とを含み、
ａ）端末（ＷＲ）に、転送情報をロードするステップを備え、当該ステップによって、端末（ＷＲ）は、転送情報をロードされた端末となり、
ｂ）移動データキャリア（ＩＭ）を、転送情報をロードされた端末に提示した際に、転送情報を、前記移動データキャリア（ＩＭ）にロードするステップを備え、当該ステップによって、移動データキャリア（ＩＭ）は、移動情報をロードされた移動データキャリアとなり、
ｃ）転送情報をロードされた移動データキャリアを他の端末に提示したときに、これら他の端末が、転送情報に関連する情報、或いは、転送情報に関連付けられている場合に、転送情報をこれら他の端末に送信するステップを含む、方法。
　
［相違点１］
　“複数の端末（ＷＲ）を有するネットワークシステム”について、
　本願発明においては、ネットワークシステムが、「階層的認可システム」であるのに対して、
　引用発明においては、「システム」が、「階層的」であること、及び、「認可システム」であることが、明確に示されていない点、
　
［相違点２］
　“転送情報”について、
　本願発明においては、「アプリケーション（Ａｐｐ）のアプリケーション情報（Ｉｅｘ）」であるのに対して、
　引用発明においては、「メッセージ、或いは、アプリケーション・プログラム」である点、
　
［相違点３］
　本願発明が、「転送することにより、前記アプリケーション（Ａｐｐ）を、初期化または拡張するための方法」であるのに対して、
　引用発明においては、アプリケーション・プログラムの初期化または拡張については明確に示されてない点
　
［相違点４］
　“端末（ＷＲ）に、転送情報をロードするステップ”について、
　本願発明においては、「少なくとも１つの端末（ＷＲ）を選択して認可し」ているのに対して、
　引用発明においては、「認可」する点については明確に示されていない点、
　
［相違点５］
　“これら他の端末が、転送情報に関連する情報、或いは、転送情報に関連付けられている場合”について、
　本願発明においては、「これら他の端末（ＷＲ）がアプリケーション（Ａｐｐ）に関連付けられている場合」であるのに対して、
　引用発明においては、“関連付けられている”のが、メッセージ、或いは、アプリケーション・プログラムである点、
　
［相違点６］
　本願発明においては、「移動データキャリア（ＩＭ）およびロードされた移動データキャリア（ＩＭｅｘ）が前記階層的認可システムにおいて認可されると」、「これらの他の端末（ＷＲ）において、前記アプリケーションＡｐｐを実行する」のに対して、
　引用発明においては、“第２ノードがシステムにおいて認可されると”、“第１ノードにおいて、アプリケーション・プログラムを実行する”ことに関して、明確に示されていない点、
　
その６．当審の判断
　以下において、上記項目その５で指摘の相違点について検討する。
　
［相違点１］、及び、［相違点４］について
　システムを構成する複数の装置を階層化することは、当業者にとっては周知の技術事項である（例えば、本願の第１国出願前に既に公知である国際公開第０１／７３５２７号＜２００１年１０月０４日公開、以下、これを「周知文献１」という、ファミリ；特表２００３−５２９２５３＞のＦＩＧ．１などを参照されたい）。
　また、２つの非接触通信を行う機器間で認証を行う点については、原審が拒絶理由に引用した、本願の第１国出願前に既に公知である、特開平０９−１６７０９８号公報（１９９７年６月２４日公開、以下、これを「周知文献２」という）に、
「【００２５】ホスト装置10はプロセッサ14を有し、このプロセッサはここでは装置10の動作を制御し、またセキュリティ・システムも実装する。プロセッサ14は通信モジュール16と暗号化／解読モジュール18を制御する。通信モジュール16は、リモート通信を可能にするためのPOTSネットワークやセルラ電話ネットワーク等の通信ネットワーク22への接続を行なうためのモデム20、携帯装置12との直接又はローカル通信を行なうための赤外線送信機／受信機ユニット24、又は、点線で示されたケーブル・リンク27によって携帯装置12にケーブル接続又はワイヤ接続をするためのパラレル又は直接インタフェース26を有する。
【００２６】暗号化／解読モジュール18は、通常数千文字の長さのセキュリティー鍵又はパスワードをランダムに又は擬似ランダムに生成するための鍵生成装置28、及び携帯装置12との通信を暗号化及び解読し、かつ通信ネットワーク22を介してリモートでアクセスしようとする携帯装置12の身分を認証するためのチャレンジ／応答ルーチンを実装するための暗号化／解読装置30を含む。」
　との記載があるように、当業者にとって周知の技術事項であり、
　更に、ダウンロードの際に認可を行う点に関しても、例えば、本願の第１国出願前に既に公知である、特開平１１−３４５２６６号公報（１９９９年１２月１４日公開、以下、これを「周知文献３」という）に、
Ｊ．「【請求項１３】前記新規アプリケーションをダウンロードすることが更に、前記カード所有者の識別を確認することを含む、請求項１の方法。」
　との記載があるように、当業者にとって周知の技術事項であって、
　引用発明においても、ノードにおいて、メッセージ、或いは、アプリケーション・プログラムの使用に関する認証を行っており、
　また、引用発明においても、第１ノードから、メッセージ、或いは、アプリケーション・プログラムを、非接触に、第２ノードに転送し、前記第２ノードから、メッセージ、或いは、アプリケーション・プログラムを、他の第１ノードへ転送するという構成を有しており、引用発明には明確に示されていないものの、このような構成が一種の階層構造を呼べるものであることは明らかであるから、
　引用発明において、複数の第１ノード、第２ノードからなるシステムを階層構造とし、該複数の第１ノードの何れかを選択して認可し、認可された第１ノードに対して、メッセージ、或いは、アプリケーション・プログラムをロードする、階層的認可システムとすることは、当業者が適宜なし得るものである。
　よって、相違点１、及び、相違点４は、格別のものでない。
　
［相違点２］について
　複数の端末やノードで構成されるシステムにおいてアプリケーション、アプリケーションを制御するための情報、或いは、アプリケーションの処理に用いるパラメータなどを転送可能であることは、当業者にとっては自明の事項に過ぎない。
　引用発明は、ノード間で、メッセージ、或いは、アプリケーション・プログラムを転送するという、異なる種類の転送情報を転送し得る構成となっていることは明らかであるから、第１のノードにロードする情報として、メッセージ、或いは、アプリケーション・プログラムに替えて、アプリケーション（Ａｐｐ）のアプリケーション情報（Ｉｅｘ）をロードし、該情報を第２ノードに転送することは、当業者が適宜なし得る事項である。
　よって、相違点２は、格別のものでない。
　
［相違点３］について
　送信されたアプリケーションを初期化することは、例えば、周知文献２に、
Ｋ．「【請求項１０】前記ダウンロードを認定することが更に、前記モニター・アプリケーションを初期化することを含む、請求項１の方法。
【請求項１１】前記モニター・アプリケーションを初期化することが更に、サーバーにより提供されるキーにより、前記モニター・アプリケーションを初期化することを含む、請求項１０の方法。」
　との記載もあるように、当業者にとっては、周知の技術事項である。
　また、引用発明においては、転送するメッセージ、或いは、アプリケーション・プログラムとして、アプリケーションの追加的なアップデートを含むものであり、アプリケーション・プログラムのアップデートを行うことで、該アプリケーションの機能を拡張し得ることは自明な事項であるから、
　引用発明においても、メッセージ、或いは、アプリケーション・プログラムを転送することで、アプリケーション・プログラムを初期化、或いは、拡張するよう構成することは、当業者が適宜なし得る事項である。
　よって、相違点３は、格別のものでない。
　
［相違点５］について
　本願発明において、「これら他の端末に送信する」、「アプリケーション情報（Ｉｅｘ）」は、「アプリケーション（Ａｐｐ）のアプリケーション情報（Ｉｅｘ）」であるから、「アプリケーション情報（Ｉｅｘ）」が、「アプリケーション（Ａｐｐ）」に関連する情報であることは明らかである。
　引用発明においても、転送される「メッセージ、或いは、アプリケーション・プログラム」が、いずれかのノードの有する「アプリケーション・プログラム」等の関連する場合に、該「メッセージ、或いは、アプリケーション・プログラム」と関連する「これら他の端末」が、該「メッセージ、或いは、アプリケーション・プログラム」と関連する「アプリケーション・プログラム」等とも関連することは、当業者にとって自明の事項である。
　よって、相違点５は、格別のものでない。
　
［相違点６］について
　引用発明においても、上記Ｆで引用した［0043］に記載されているように、
“第１ノードをサーバ、第２ノードをクライアントとする構成”を含み、サーバ／クライアントシステムにおいては、クライアントからの要求に応じて、サーバにおけるアプリケーションが処理を行うことは自明の事項である。
　また、サーバ／クライアントシステムにおいて、クライアントの認証を行って、サーバのアプリケーションにアクセスするようなことは、例えば、本願の第１国出願前に既に公知である、特開２０００−２０７３６２号公報（２０００年７月２８日公開、以下、これを「周知文献４」という）に、
「【０００２】
【従来の技術】従来、クライアントコンピュータ又は端末からＬＡＮ又は公衆回線網を経由したモバイル環境を介してネットワーク内で管理されユーザに提供されている電子メールシステム、グループウェアシステムやプリントサーバ等の各種サーバアプリケーション（サービス）を使用する場合、まずネットワークに接続（ログイン）し、その後利用する各種サーバアプリケーションに接続（ログイン）していた。即ち、ネットワークに接続する際に、ユーザＩＤとパスワードの入力をすることによりユーザ認証が必要である。またその後サーバアプリケーションに接続する際にも、個々のサーバアプリケーションに接続する度にユーザ認証が必要であった。また、これらのユーザ認証に必要なユーザ情報は、データ（ファイル）として個々のサーバアプリケーションにおいて管理されていた。」
　との記載があるように、当業者にとっては周知の技術事項であり、
　引用発明においても、ノードにおいて、認証を行っていることは明らかであるから、
　引用発明と、上記引用の周知文献４における周知技術とから、
　引用発明における、第１ノードをサーバ、第２ノードをクライアントとするような構成において、第２ノードを認証することで、第１ノードのアプリケーション・プログラムを動作させるようにすることは、当業者が適宜なし得る事項である。
　よって、相違点６は、格別のものでない。
　
　上記で検討したごとく、相違点１〜６はいずれも格別のものではなく、そして、本願発明の構成によってもたらされる効果も、当業者であれば当然に予測可能なものに過ぎず格別なものとは認められない。
　
その７．むすび
　したがって、本願発明は、引用刊行物１に記載の発明、及び、周知文献１〜周知文献４に記載の周知技術から、当業者が容易に発明をすることができたものであるから、特許法第２９条第２項の規定により特許を受けることができない。
　
　よって、結論のとおり審決する。